【事件の表示】
　特願２００４−１７４７４７「電気光学装置用駆動回路及び電気光学装置用駆動方法、並びに、電気光学装置及び電子機器」拒絶査定不服審判事件〔平成１７年１２月２２日出願公開、特開２００５−３５２３１５〕について、次のとおり審決する。
【結　論】
　本件審判の請求は、成り立たない。
【理　由】
第１　手続の経緯
　本願は、平成１６年６月１１日の出願であって、平成２０年５月１日付け（送達日：平成２０年５月７日）で拒絶査定がなされ、これに対して平成２０年６月６日に拒絶査定不服審判の請求がなされるとともに、平成２０年７月７日付けで特許請求の範囲を対象とする手続補正がなされたものである。
　
第２　平成２０年７月７日付け手続補正についての補正却下の決定
［補正却下の決定の結論］
　平成２０年７月７日付け手続補正を却下する。
［理由］独立特許要件違反
　平成２０年７月７日付け手続補正（以下、「本件補正」という。）により、補正前の特許請求の範囲の請求項１が、
「　　【請求項１】
　複数の画素部が電気信号に応答可能な電気光学物質を含んで構成された電気光学装置を駆動するために用いられる電気光学装置用駆動回路であって、
　前記画素部の夫々に、一画面に対応する画像信号を、該一画面を表示する画面表示期間が分割されてなる単位期間毎に供給し、前記画素部の夫々を前記画面表示期間内に複数回駆動する駆動部と、
　同一の画面表示期間内における複数の前記単位期間のうち最初の単位期間に供給される前記画像信号を、前記最初の単位期間の直前の前記画面表示期間内に供給される前記画像信号に対する変化量と、前記電気光学物質の前記画像信号に対する応答速度とを用いて算出した補正量により補正する補正手段と
　を備え、
　前記補正手段は、前記同一の画面表示期間内における最初でない単位期間に供給される前記画像信号と、前記最初の単位期間に供給される画像信号とに対して、前記最初の単位期間における補正量の重みが最も重くなるように、重み付けして前記補正量を算出し、該重み付けして算出された補正量を用いて前記画像信号を補正する
　ことを特徴とする電気光学装置用駆動回路。」から、
　
「　　【請求項１】
　複数の画素部が電気信号に応答可能な電気光学物質を含んで構成された電気光学装置を駆動するために用いられる電気光学装置用駆動回路であって、
　前記画素部の夫々に、一画面に対応する画像信号を、該一画面を表示する画面表示期間が分割されてなる単位期間毎に供給し、前記画素部の夫々を前記画面表示期間内に複数回駆動する駆動部と、
　同一の画面表示期間内における複数の前記単位期間のうち最初の単位期間に供給される前記画像信号を、前記最初の単位期間の直前の前記画面表示期間内に供給される前記画像信号に対する変化量と、前記電気光学物質の前記画像信号に対する応答速度とを用いて算出した補正量により補正する補正手段と
　を備え、
　前記補正手段は、前記同一の画面表示期間内における最初でない単位期間に供給される前記画像信号と、前記最初の単位期間に供給される画像信号とに対して、前記最初の単位期間における補正量の重みが最も重くなるように、重み付けして前記補正量を算出し、該重み付けして算出された補正量を用いて前記画像信号を補正
し、
　
前記駆動部は、前記複数の画素部により構成される表示面が走査線に沿った分割線によって分割されてなる２つの部分面のうち第１の部分面を構成する前記画素部と、前記２つの部分面のうち第２の部分面を構成する前記画素部とに、交互に、且つ、前記第１及び第２の部分面の各々において隣り合う前記走査線に対して順に、水平走査を行うと共に、該水平走査毎、及び前記画面表示期間毎又は前記単位期間毎に基準電圧に対して極性が反転するように前記画素部の夫々を反転駆動させる
　ことを特徴とする電気光学装置用駆動回路。」に補正された。（下線は、補正箇所を示す。）
　
　本件補正により、
　補正前の「駆動部」が行う駆動に、さらに「複数の画素部により構成される表示面が走査線に沿った分割線によって分割されてなる２つの部分面のうち第１の部分面を構成する前記画素部と、前記２つの部分面のうち第２の部分面を構成する前記画素部とに、交互に、且つ、前記第１及び第２の部分面の各々において隣り合う前記走査線に対して順に、水平走査を行うと共に、該水平走査毎、及び前記画面表示期間毎又は前記単位期間毎に基準電圧に対して極性が反転するように前記画素部の夫々を反転駆動させる」駆動を行うことが追加されて限定された。
　
　したがって、本件補正は、特許請求の範囲の減縮を目的とするものに該当する。
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。
　
１　本件補正後の本願発明
　本件補正後の請求項１に係る発明（以下、「本願補正発明」という。）は、本件補正により補正された特許請求の範囲、明細書及び図面からみて、その請求項１に記載されたとおりのものと認める。
　
２　引用刊行物に記載された発明
（１）原査定の拒絶の理由に引用され、本願の出願前の平成１５年８月２９日に頒布された刊行物である特開２００３−２４１７２１号公報（以下、「引用刊行物１」という。）には、「液晶パネルの表示制御装置および液晶表示装置」の発明に関して、図面とともに以下の事項が記載されている。
　
＜記載事項１＞
「【０００３】…。また、従来からあるホールド駆動方式においても、動画表示性能を向上するために、オーバードライブ方式およびオーバーシュート方式と称する技術が開発されている。ここで、ホールド駆動方式は、１フレームの期間、同じデータ画像データに対応する信号を液晶セルに出力する技術である。
【０００４】オーバードライブ方式およびオーバーシュート方式の概要は、例えば、特開２００１−１２５０６７号公報の図３に開示されている。オーバードライブ方式は、実際に表示する画素データに対応するデータ信号より強調したデータ信号を液晶セルに書き込み（オーバードライブ）、１フレーム期間中内で液晶セルの透過率を目標値まで変化させる技術である。オーバーシュート方式は、データ信号をさらに強調することで１フレーム期間で液晶セルの透過率が目標値を超えるように変化させ（オーバーシュート）、次の１フレーム期間で透過率を目標値に戻す技術である。」
　
＜記載事項２＞
「【００１３】
【発明の実施の形態】以下、本発明の実施形態を図面を用いて説明する。図１は、本発明の液晶パネルの表示制御装置および液晶表示装置の第１の実施形態を示している。この実施形態は、請求項１ないし請求項５に対応している。液晶表示装置は、データ変換部１０、フレームメモリ１２、タイミング制御部１４、ソースドライバ１６、ゲートドライバ１８、液晶パネル２０、温度検出部２２、レート検出部２４、温度記憶部２６、およびレート記憶部２８を有している。データ変換部１０、フレームメモリ１２、タイミング制御部１４、ソースドライバ１６、ゲートドライバ１８、温度検出部２２、レート検出部２４、温度記憶部２６、およびレート記憶部２８は、液晶パネルに画像を表示するための表示制御装置として動作する。」
　
＜記載事項３＞
「【００１４】この実施形態の液晶表示装置は、ホールド駆動により動作する。すなわち、液晶パネルの１画面を表示するための１フレームの期間（16.6ms）、同じ画像データに対応するデータ信号が液晶セルに供給される。また、タイミング制御部１４により、１フレーム期間は、２つのサブフィールドSF1、SF2（8.3msずつ）に区画されている。
【００１５】データ変換部１０は、ASIC（Application Specific IC）として形成されており、データ比較部３０および演算部３２を有している。データ比較部３０は、新たに供給される画像データとフレームメモリ１２のデータ記憶部１２ａに記憶されている前回の画像データとを１フレーム毎に比較し、データの差を画素毎に差分信号DIFとして出力する。データ比較部３０による比較後、データ記憶部１２ａには、新たに供給された画像データが上書きされる。
【００１６】演算部３２は、第１演算部３２ａ、第２演算部３２ｂ、および第３演算部３２ｃを有している。第１演算部３２ａは、サブフィールドSF1の表示データを生成する。第２および第３演算部３２ｂ、３２ｃは、サブフィールドSF2の表示データを生成する。第１演算部３２ａは、サブフィールドSF1の開始に合わせて、データ比較部３０からの差分信号DIFに基づいてオーバーシュート値を画素毎に求め、求めた値を表示データOSDとして出力する。ここで、オーバーシュートとは、供給された画像データを強調して表示するための駆動方式である。すなわち、表示データOSDは、液晶セルの透過率を、画像データに対応する透過率（目標透過率）より上回る値または下回る値にするための超過表示データである。
【００１７】第２演算部３２ｂは、まず、データ比較部３０からの差分信号DIFに基づいてオーバードライブ値を画素毎に求める。ここで、オーバードライブとは、液晶セルの透過率を短時間で画像データに対応する目標透過率に変化させるための駆動方式である。このとき、液晶セルに供給される印加電圧は、目標透過率に対応する印加電圧VS（目標印加電圧）よりもわずかに上回っている、あるいは下回っている。すなわち、表示データODDは、液晶セルの透過率を目標透過率にするために、印加電圧VSを画像データに対応する目標印加電圧より上回るまたは下回る値にするための目標表示データである。
【００１８】第２演算部３２ｂは、求めたオーバードライブ値と新たに供給された画像データに対応する目標値との差を求め、求めた差を差分データとしてフレームメモリ１２の第１記憶部１２ｂに書き込む。第３演算部３２ｃは、サブフィールドSF2の開始に合わせて、データ比較部３０による比較後にデータ記憶部１２ａに書き込まれた画像データと、第１記憶部１２ｂに記憶されている差分データとからサブフィールドSF2で使用するオーバードライブ値を復元し、表示データODD（目標表示データ）として出力する。」
　
＜記載事項４＞
「【００２０】タイミング制御部１４は、第１演算部３２ａおよび第３演算部３２ｃからそれぞれ表示データOSD、ODDを順次受け、これ等表示データOSD、ODDを駆動信号DRVとしてソースドライバ１６に出力する。また、タイミング制御部１４は、サブフィールドSF1、SF2に対応して、ソースドライバ１６およびゲートドライバ１８を動作させる複数のタイミング信号TIMをそれぞれ生成する。
【００２１】ソースドライバ１６は、タイミング信号TIMに同期してタイミング制御部１４からの駆動信号DRVに応じて液晶パネル２０の画素P（液晶セル）に供給する印加電圧VSを生成する。ゲートドライバ１８は、タイミング信号TIMに同期して液晶パネルの画素Pを選択するゲート信号GTを生成する。液晶パネル２０は、マトリックス状に形成された複数の画素Pを有している。」
　
＜記載事項５＞
「【００２４】…。図２は、第１の実施形態の液晶表示装置において、液晶パネルの１画素（液晶セル）にデータが書き込まれる状態を示している。この例では、フレーム期間FL1に対応して透過率を上げる画像データ（例えば、輝度を上げるデータ）が供給され、フレーム期間FL2に対応して、透過率を下げる画像データ（例えば、輝度を下げるデータ）が供給される。図中の一点鎖線は、各フレーム期間における透過率の目標値および印加電圧VSの目標値（目標印加電圧）を示している。また、印加電圧VSの極性は、サブフィールドの走査ごとに反転され、いわゆるフレーム反転駆動と同様の動作が行われる。このため、印加電圧VSには、目標値(+)と目標値(-)がある。印加電圧VSは、図１に示した演算部３２が出力する表示データOSD、ODDに対応している。以下の説明では、印加電圧VSの高低の表現は、印加電圧VSの絶対値に対応している。
【００２５】まず、最大の透過率に対応する画像データがフレーム期間FL1に対応して供給される。フレーム期間FL1の最初のサブフィールドSF1において、図１に示したソースドライバ１６は、第１演算部３２ａが求めた超過表示データOSDに応じて、目標値より高い印加電圧VSを液晶パネル２０に出力する（図２（ａ））。液晶セルの透過率は、サブフィールドSF1の期間に目標値を超過して、目標値より高くなる（図２（ｂ））。すなわち、サブフィールドSF1では、オーバーシュート動作が行われる。
【００２６】次に、フレーム期間FL1のサブフィールドSF2（最後のサブフィールド）において、ソースドライバ１６は、第３演算部３２ｃが求めた目標表示データODDに応じて、目標印加電圧より若干低い印加電圧（超過印加電圧）VSを出力する（図２（ｃ））。液晶セルの透過率は、サブフィールドSF2の期間に目標値まで変化する（図２（ｄ））。すなわち、サブフィールドSF2では、オーバードライブ動作が行われる。」
　
　上記記載事項２及び図１からみて、液晶パネルに画像を表示するための表示制御装置は、ソースドライバ１６と、ゲートドライバ１８と、タイミング制御部１４と、データ変換部１０を備えていることが読み取れる。
　
　上記記載事項４からみて、タイミング制御部１４と、ゲートドライバ１８と、ソースドライバ１６とにより、液晶パネル２０の画素を駆動する駆動部を構成していることが読み取れる。
　上記記載事項４，５及び図２からみて、前記駆動部は、液晶パネル２０の画素Ｐに、フレーム期間ＦＬ１の最初のサブフィールドＳＦ１に表示データＯＳＤに応じた印加電圧ＶＳを、最後のサブフィールドＳＦ２に表示データＯＤＤに応じた印加電圧ＶＳを供給しており、前記画素Ｐをフレーム期間ＦＬ１に２回駆動していることが読み取れる。
　
　上記記載事項３及び図１，３からみて、データ変換部１０は、最初のサブフィールドＳＦ１の開始に合わせて、新たに供給される画像データと前回の画像データの差である差分信号ＤＩＦに基づいて演算により求めたオーバーシュート値を、表示データＯＳＤとして出力する第１演算部３２ａを有していることが読み取れる。
　
　上記記載事項３及び図１，３からみて、データ変換部１０は、最後のサブフィールドＳＦ２の開始に合わせて、データ記憶部１２ａに書き込まれた画像データと、前記差分信号ＤＩＦに基づいて演算により求めたオーバードライブ値と画像データに対応する目標値との差として、第１記憶部に記憶されている差分データとから、オーバードライブ値を復元して表示データＯＤＤとして出力する第３演算部３２ｃと、最初のサブフィールドＳＦ１の開始に合わせて、新たに供給される画像データと前回の画像データの差である差分信号ＤＩＦに基づいて演算により求めたオーバーシュート値を、表示データＯＳＤとして出力する第１演算部３２ａとを有していることが読み取れる。
　
　上記記載事項３及び５、図２からみて、最初のサブフィールドＳＦ１における表示データＯＳＤに対応する印加電圧ＶＳと画像データに対応する目標印加電圧との差は、最後のサブフィールドＳＦ２における表示データＯＤＤに対応する印加電圧ＶＳと画像データに対応する目標印加電圧との差より大きいことが読み取れる。
　また、上記記載事項１においてオーバードライブ、オーバーシュート方式の概要が開示されているとして挙げられている特開２００１−１２５０６７号公報の段落【００１９】−【００２１】，図３には、オーバーシュート駆動で印加される電圧は、オーバードライブ駆動で印加される電圧より高い電圧であることが記載されている。
　したがって、データ変換部１０は、第１演算部の出力する表示データＯＳＤに対応する印加電圧ＶＳと画像データに対応する目標印加電圧との差が、第３演算部の出力する表示データＯＤＤに対応する印加電圧ＶＳと画像データに対応する目標印加電圧との差より大きくなるように、表示データＯＳＤ、ＯＤＤを出力していることが読み取れる。
　
　上記記載事項５及び図２からみて、印加電圧ＶＳの極性は、サブフィールドの走査ごとに反転していることが読み取れる。また、上記記載事項４からみて、ソースドライバ１６すなわち駆動部により、画素Ｐに印加電圧ＶＳを供給していることが読み取れる。
　したがって、駆動部は、サブフィールドの走査毎に極性が反転するように、画素Ｐに印加電圧ＶＳを供給していることが読み取れる。
　
　よって、前記記載事項１乃至５及び図面の記載からみて、引用刊行物１には、以下の発明が記載されているものと認められる。（以下、「引用発明１」という。）
　
「液晶パネル２０に画像を表示するための表示制御装置であって、
　前記液晶パネル２０の画素Ｐに、フレーム期間ＦＬ１の最初のサブフィールドＳＦ１に表示データＯＳＤに応じた印加電圧ＶＳを、最後のサブフィールドＳＦ２に表示データＯＤＤに応じた印加電圧ＶＳを供給し、前記画素Ｐをフレーム期間ＦＬ１に２回駆動する駆動部と、
　最初のサブフィールドＳＦ１の開始に合わせて、新たに供給される画像データと前回の画像データの差である差分信号ＤＩＦに基づいて演算により求めた表示データＯＳＤを出力するデータ変換部１０と
　を備え、
　前記データ変換部１０は、最後のサブフィールドＳＦ２の開始に合わせて、データ記憶部１２ａに書き込まれた画像データと、前記差分信号ＤＩＦに基づいて演算により求めたオーバードライブ値と画像データに対応する目標値との差として、第１記憶部に記憶されている差分データとから、オーバードライブ値を復元して表示データＯＤＤを出力し、最初のサブフィールドＳＦ１の開始に合わせて、新たに供給される画像データを、前記差分信号ＤＩＦに基づいて演算により求めた表示データＯＳＤとして出力し、表示データＯＳＤに対応する印加電圧ＶＳと画像データに対応する目標印加電圧との差が、表示データＯＤＤに対応する印加電圧ＶＳと画像データに対応する目標印加電圧との差より大きくなるように、表示データＯＳＤ、ＯＤＤを出力し、
　前記駆動部は、サブフィールドの走査毎に極性が反転するように、前記画素Ｐに印加電圧ＶＳを供給する
　液晶パネル２０に画像を表示するための表示制御装置。」
　
（２）本願の出願前の２００４年４月７日に頒布された刊行物である欧州特許出願公開第１４０６２４２号明細書（２００４）（以下、「引用刊行物２」という。）には、図面とともに以下の事項が記載されている。
　
＜記載事項６＞
「[0085] The operation of the driver section 60 of the aforementioned configuration is described using FIG. 7 and FIG. 8. 
[0086] In the driver section 60, as shown in FIG. 7, a gate-output pulse DY is output twice during one vertical period of the input picture signal. The gate-output pulse DY shifts in the shift register 66 of the scanning driver 104 by means of a clock signal CLY having one pulse rising for each one horizontal period. Here, as shown in FIG. 8 (an enlargement of the place of symbol A in FIG. 7), when the gate-output pulse DY approaches the area to be controlled by a different enable signal of the screen central portion (more specifically the Gm+1th scanning line), the phases of the enable signal ENB 1 and the enable signal ENB 2 are reversed. Due to the above operation, the gate pulse is alternately output to two locations on the screen which are separated by m scanning lines. That is, the gate pulse is sequentially output so that skipping to a scanning line separated by m lines from a predetermined scanning line returns to the scanning line of the next stage of the aforementioned predetermined scanning line, and skipping to the scanning line separated by m lines from this scanning line again returns to the scanning line of this next stage (that is, in the sequence of scanning line G1, scanning line Gm+1, scanning line G2, scanning line Gm+2, scanning line G3, and so on). Here, for the enable signals ENB 1 and ENB 2, the pulse width becomes approximately 1/2 of one horizontal period of the input picture signal. By outputting the gate-output pulse DY and the enable signals ENB 1 and ENB 2 as described above, the one horizontal period for the light valve becomes 1/2 of the input picture signal. 
[0087] On the other hand, regarding the data signal Sx output from the data driver 201, the polarity is inverted into a positive polarity potential or a negative polarity potential for each one horizontal period, centered on the common potential LCCOM. Consequently, while on the data signal Sx side the polarity is being inverted for each one horizontal period, on the gate pulse side the gate pulse is alternately output to two locations of the screen which are separated by m scanning lines, in the aforementioned sequence. As a result, on the screen, as shown in FIG. 9, observing a certain one horizontal period, then for example the dots corresponding to scanning lines G3 to Gm+2 become the area in which the data of positive polarity potential is written (hereinafter, simply referred to as the positive polarity area), and the dots corresponding to the scanning lines G1 to G2 and Gm+3 to G2m become the area in which the data of negative polarity potential is written (hereinafter, simply referred to as the negative polarity area), giving a condition as if inside the screen is divided into three areas, namely a positive polarity area and negative polarity areas where data of different polarities is written. 
[0088] FIG. 9 shows an image of the screen seen for an instant of any one horizontal period, and FIG. 10 shows a condition of change in polarity on the screen after time passes. If the horizontal axis in FIG. 10 is time (units: 1 horizontal period), then for example in the first horizontal period a negative potential is written to the dot corresponding to scanning line G2m, and in the next second horizontal period a positive potential is written to the dot corresponding to the scanning line Gm+1 which was written with a negative potential in the first horizontal period, and in the next third horizontal period a negative potential is written to the dot corresponding to scanning line G1 which was written with a positive polarity potential in the first and second horizontal periods, and this writing operation is thereafter repeated. Consequently, the positive polarity area and the negative polarity area each move one line at a time for two horizontal periods, and when the scanning line is moved half of the screen, the positive polarity area and the negative polarity area are completely inverted. That is, rewriting of one screen has been performed. According to this method, the situation results where rewriting is performed twice by the scanning lines moving the whole screen. Consequently with respect to the input picture signal, one vertical period becomes 1/2. 
[0089] In other words, in the present embodiment, one field data is divided into plural consecutive field data, while shifting the write start time within one vertical period, this is written alternately for each one horizontal period, and at the same time, the write polarity of the data between the consecutive fields is inverted. More specifically, one field data is divided into two field data, namely first and second field data having a different polarity to each other, and these field data are shifted by 1/2 of a vertical period and are overwritten. For this reason, for the scanning line side, scanning is performed over all of the scanning lines, going back and forth while skipping the scanning lines of one part (several lines). Therefore, observing any one vertical period, within the screen there exists plural areas comprising a positive potential application area and a negative potential application area by corresponding to the respective fields. 」
（当審訳）
「【００８５】上記構成の駆動回路部６０の動作を図７、図８を用いて説明する。
【００８６】駆動回路部６０においては、図７に示すように、入力される映像信号の１垂直期間中にゲート出力パルスＤＹが２回出力される。ゲート出力パルスＤＹは、１水平期間毎に１パルスが立ち上がるクロック信号ＣＬＹによって走査ドライバ１０４のシフトレジスタ６６中をシフトしていく。ここで、図８（図７の符号Ａの個所を拡大したもの）に示すように、ゲート出力パルスＤＹが画面中央部の異なるイネーブル信号によって制御される領域（具体的にはＧｍ＋１本目の走査線）に差し掛かったとき、イネーブル信号ＥＮＢ１とイネーブル信号ＥＮＢ２の位相が逆転する。以上の動作によって、ゲートパルスは走査線ｍ本分離れた画面上の２個所に交互に出力される。すなわち、所定の走査線からｍ本離れた走査線に飛び越しては前記所定の走査線の次段の走査線に戻り、その走査線からｍ本離れた走査線に飛び越してはまたその次段の走査線に戻るというように（つまり、走査線Ｇ１、走査線Ｇｍ＋１、走査線Ｇ２、走査線Ｇｍ＋２、Ｇ３、…という順序で）順次出力される。ここでイネーブル信号ＥＮＢ１、ＥＮＢ２はそのパルス幅が入力される映像信号の１水平期間の約１／２となっている。このようにゲート出力パルスＤＹ、イネーブル信号ＥＮＢ１、ＥＮＢ２を出力する事により、ライトバルブにとっての１水平期間は、入力される映像信号の１／２となる。
【００８７】一方、データドライバ２０１からの出力であるデータ信号Ｓｘは、コモン電位ＬＣＣＯＭを中心として１水平期間毎に正極性電位と負極性電位とに極性が反転する。したがって、データ信号Ｓｘ側が１水平期間毎に極性反転しつつ、ゲートパルス側は上記の順番で走査線ｍ本分離れた画面の２個所に交互に出力されることになる。その結果、画面上は、図９に示すように、ある１水平期間に着目すると、例えば走査線Ｇ３〜Ｇｍ＋２に対応するドットは正極性電位のデータが書き込まれる領域（以下、単に正極性領域という）となり、走査線Ｇ１〜Ｇ２及びＧｍ＋３〜Ｇ２ｍに対応するドットは負極性電位のデータが書き込まれる領域（以下、単に負極性領域という）となるというように、画面内があたかも異なる極性のデータが書き込まれた正極性領域と負極性領域の３つの領域に分割されたような状態となる。
【００８８】図９は任意の１水平期間の瞬間を見た画面のイメージを示しており、図１０は時間の流れを追って画面上の極性の変化の状態を示すものである。図１０の横軸を時間（単位：１水平期間）とすると、例えば第１水平期間では走査線Ｇ２ｍに対応するドットに負電位が書き込まれ、次の第２水平期間では第１水平期間で負電位が書き込まれていた走査線Ｇｍ＋１に対応するドットに正電位が書き込まれ、次の第３水平期間では第１、第２水平期間で正電位が書き込まれていた走査線Ｇ１に対応するドットに負電位が書き込まれ、この書き込み動作が以降繰り返される。したがって、正極性領域と負極性領域はそれぞれ２水平期間毎に１ラインずつ移動していき、走査線が画面の半分を移動したときに正極性領域と負極性領域とが完全に反転する。つまり１画面の書き換えが行われたことになる。この方法によると、走査線が全画面を移動することにより、書き換えは２度行われる事になり、結果的に入力映像信号に対し、１垂直期間が１／２になることになる。
【００８９】換言すると、本実施形態では、１つのフィールドデータを連続した複数のフィールドデータとして、書き込み開始時期を１垂直期間内でずらしながら１水平期間毎に交番的に書き込むとともに、連続したフィールドの間でデータの書き込み極性を反転させている。具体的には、１つのフィールドデータを互いに極性の異なる第１，第２の２つのフィールドデータに分け、これらのフィールドデータを１／２垂直期間だけシフトさせて重ね書きしている。このため、走査線側については、一部（複数本）の走査線を飛び越しつつ、行ったり来たりしながら全ての走査線にわたって走査が行なわれる。このため、任意の１垂直期間で見たときに、画面内には各フィールドに対応して正電位印加領域と負電位印加領域とからなる複数の領域が存在することとなる。」
　
＜記載事項７＞
「[0090] In the liquid crystal light valve of the present embodiment, by inverting in one vertical period the positive polarity area and the negative polarity area having a width of half of the screen in this manner, screen inversion driving is performed for each area. In one vertical period, between any one dot and an adjacent one dot, an inverted polarity potential is exhibited for only a time of 2/2m. However, the remaining major portion of the time of (2m-2)/2m has the same polarity potential. For this reason, disclination hardly occurs. On the other hand, on the data line 6a side, as shown in the signal wave form in FIG. 8, for the signal polarity, an operation similar to the conventional line inversion driving is performed. For this reason, there is no occurrence of a large difference in the relationship of the timewise potential of the pixel electrode and data lines at the upper stage side pixel and the lower stage side pixel of the screen, as observed when driven by the conventional surface reversal method, and non-uniformity of the display depending on the location on the screen can be avoided while suppressing cross-talk. Furthermore, different from the conventional technology, the majority of the one horizontal period is consumed in writing to the pixel. Therefore, problems such as insufficient writing also do not occur. 
[0091] Moreover in the case of the present embodiment, since the scanning frequency becomes a frequency of not less than 100 Hz, being a frequency of twice the input picture signal frequency, flicker can be reliably suppressed. 」
（当審訳）
「【００９０】本実施の形態の液晶ライトバルブにおいては、このように画面の半分の広さを持った正極性領域と負極性領域とが１垂直期間で反転することになり、領域毎には面反転駆動が行われる。１垂直期間において、任意の１ドットと隣接する１ドットとの間は２／２ｍの時間だけは逆極性電位となるが、残りの大部分の時間（２ｍ−２）／２ｍは同極性電位となっているので、ディスクリネーションはほとんど発生しない。一方、データ線６ａ側は図８に信号波形を示したように、信号極性については従来のライン反転駆動と同様の動作を行っているので、従来の面反転方式で駆動したときのように画面の上側の画素と下側の画素で画素電極−データ線間の時間的な電位の関係に大きな差異が生じることがなく、クロストークを抑制しつつ、画面の場所による表示の不均一を回避することができる。また、従来の技術と異なり、１水平期間の大部分を画素への書き込みに費やすので、書き込みが不充分になる等の問題が生じることもない。
【００９１】また本実施の形態の場合、走査周波数は入力映像信号周波数の倍の周波数である１００Ｈｚ以上の周波数となるので、フリッカを確実に抑制することができる。」
　
　上記記載事項６，図面の図９−１０からみて、ゲートパルスを走査線ｍ本分離れた画面上の２箇所に交互に出力する（つまり、走査線Ｇ１、走査線Ｇｍ＋１、走査線Ｇ２、走査線Ｇｍ＋２、Ｇ２、…という順序で出力する）とともに、１水平期間毎に極性が反転するデータ信号を出力する液晶装置の駆動回路部を読み取れる。
　また、走査線Ｇ１〜Ｇｍに対応する領域、走査線Ｇｍ＋１〜Ｇ２ｍに対応する領域は、画面が走査線に沿った分割線で分割されてなる２つの領域であることは明らかである。
　したがって、上記記載事項６，図面の図９−１０からみて、画面が走査線に沿った分割線で分割されてなる２つの領域のうち、走査線Ｇ１〜Ｇｍに対応する領域のドットと、走査線Ｇｍ＋１〜Ｇ２ｍに対応する領域のドットとに、交互に、且つ、前記各領域の各々において隣り合う走査線に対して順に、水平走査を行うと共に、１水平期間毎に極性が反転するように駆動する液晶装置の駆動回路部が読み取れる。
　
　上記記載事項６の段落【００８９】からみて、連続したフィールドの間でデータの書き込み極性が反転するように駆動する液晶装置の駆動回路部が読み取れる。
　
　上記記載事項７からみて、前記駆動回路部の駆動により、ディスクリネーションがほとんど発生せず、クロストークが抑制され、画面の場所による表示の不均一が回避されることが読み取れる。
　
　よって、前記記載事項６，図９−１０の記載からみて、引用刊行物２には、以下の発明が記載されているものと認められる。（以下、「引用発明２」という。）
　
「画面が走査線に沿った分割線で分割されてなる２つの領域のうち、走査線Ｇ１〜Ｇｍに対応する領域のドットと、走査線Ｇｍ＋１〜Ｇ２ｍに対応する領域のドットとに、交互に、且つ、前記各領域の各々において隣り合う走査線に対して順に、水平走査を行うと共に、１水平期間毎、及び連続したフィールドの間で極性が反転するように駆動する液晶装置の駆動回路部。」
　
３　対比
　本願補正発明と引用発明１とを対比する。
　
　引用発明１の「液晶パネル２０」は、本願補正発明の「複数の画素部が電気信号に応答可能な電気光学物質を含んで構成された電気光学装置」に相当する。
　引用発明１の「画像を表示するための表示制御装置」は、ソースドライバ１６と、ゲートドライバ１８と、タイミング制御部１４を備えており、液晶パネル２０を駆動するために用いられる駆動回路であるといえるから、本願補正発明の「電気光学装置を駆動するために用いられる電気光学装置用駆動回路」に相当する。
　したがって、引用発明１の「液晶パネル２０に画像を表示するための表示制御装置」は、本願補正発明の「複数の画素部が電気信号に応答可能な電気光学物質を含んで構成された電気光学装置を駆動するために用いられる電気光学装置用駆動回路」に相当する。
　
　引用発明１の「画素Ｐ」、「フレーム期間ＦＬ１」は、それぞれ本願補正発明の「画素部」、「一画面を表示する画面表示期間」に相当する。
　引用発明１の「最初のサブフィールドＳＦ１」、「最後のサブフィールドＳＦ２」は、いずれも本願補正発明の「単位期間」に相当する。
　引用発明１の「表示データＯＳＤ」、「表示データＯＤＤ」は、いずれも本願補正発明の「画像信号」に相当する。
　引用発明１の「画素Ｐをフレーム期間ＦＬ１に２回駆動する」は、本願補正発明の「画素部の夫々を前記画面表示期間内に複数回駆動する」に相当する。
　したがって、引用発明１の「液晶パネル２０の画素Ｐに、フレーム期間ＦＬ１の最初のサブフィールドＳＦ１に表示データＯＳＤに応じた印加電圧ＶＳを、最後のサブフィールドＳＦ２に表示データＯＤＤに応じた印加電圧ＶＳを供給し、前記画素Ｐをフレーム期間ＦＬ１に２回駆動する駆動部」は、本願補正発明の「画素部の夫々に、一画面に対応する画像信号を、該一画面を表示する画面表示期間が分割されてなる単位期間毎に供給し、前記画素部の夫々を前記画面表示期間内に複数回駆動する駆動部」に相当する。
　
　引用発明１の「最初のサブフィールドＳＦ１」、「新たに供給される画像データと前回の画像データの差である差分信号ＤＩＦ」は、本願補正発明の「同一の画面表示期間内における複数の前記単位期間のうち最初の単位期間」、「最初の単位期間の直前の前記画面表示期間内に供給される前記画像信号に対する変化量」にそれぞれ相当する。
　引用発明１の「データ変換部１０」は、最初のサブフィールドＳＦ１の開始に合わせて、新たに供給される画像データを、前回の画像データとの差分信号ＤＩＦに基づいて演算により求めた表示データＯＳＤにして出力しており、新たに供給された画像データを補正しているといえるから、本願補正発明の「補正手段」に相当する。
　引用発明１の「差分信号ＤＩＦに基づいて演算により求めた」と本願補正発明の「画像信号に対する変化量と、前記電気光学物質の前記画像信号に対する応答速度とを用いて算出した補正量により補正する」とは、「画像信号に対する変化量を用いて補正する」という点で共通する。
　したがって、引用発明１の「最初のサブフィールドＳＦ１の開始に合わせて、新たに供給される画像データと前回の画像データの差である差分信号ＤＩＦに基づいて演算により求めた表示データＯＳＤを出力するデータ変換部１０」と本願補正発明の「同一の画面表示期間内における複数の前記単位期間のうち最初の単位期間に供給される前記画像信号を、前記最初の単位期間の直前の前記画面表示期間内に供給される前記画像信号に対する変化量と、前記電気光学物質の前記画像信号に対する応答速度とを用いて算出した補正量により補正する補正手段」とは、「同一の画面表示期間内における複数の前記単位期間のうち最初の単位期間に供給される前記画像信号を、前記最初の単位期間の直前の前記画面表示期間内に供給される前記画像信号に対する変化量を用いて補正する補正手段」という点で共通する。
　
　引用発明１の「最後のサブフィールドＳＦ２」は、本願補正発明の「同一の画面表示期間内における最初でない単位期間」に相当し、引用発明１の「データ変換部１０」は、最後のサブフィールドＳＦ２の開始に合わせて、「データ記憶部１２ａに書き込まれた画像データ」と、第１記憶部に記憶されている差分データとから、表示データＯＤＤを出力しており、最後のサブフィールドＳＦ２にデータ記憶部１２ａから供給された画像データを補正して、表示データＯＤＤを出力しているといえるから、引用発明１の「データ記憶部１２ａに書き込まれた画像データ」は、本願補正発明の「同一の画面表示期間内における最初でない単位期間に供給される前記画像信号」に相当する。
　引用発明１の「最初のサブフィールドＳＦ１」は、本願補正発明の「最初の単位期間」に相当し、引用発明１の「データ変換部１０」は、最初のサブフィールドＳＦ１の開始に合わせて、「新たに供給される画像データ」を、差分信号ＤＩＦに基づいて演算により求めた表示データＯＳＤとして出力しており、最初のサブフィールドＳＦ１に新たに供給された画像データを補正して、表示データＯＳＤを出力しているといえるから、引用発明１の「新たに供給される画像データ」は、本願補正発明の「最初の単位期間に供給される画像信号」に相当する。
　また、引用発明１の「データ変換部１０」は、「データ記憶部１２ａに書き込まれた画像データ」と「新たに供給される画像データ」とに対して補正して、表示データＯＳＤ、ＯＤＤを出力しているとみれば、表示データＯＳＤ、ＯＤＤに対応する印加電圧と画像データに対応する目標印加電圧との差が補正量に比例することは明らかであり、最初のサブフィールドＳＦ１における表示データＯＳＤに対応する印加電圧と目標印加電圧との差が、最後のサブフィールドＳＦ２における表示データＯＤＤにおける差より大きいのであるから、引用発明１の「データ変換部１０」は、「データ記憶部１２ａに書き込まれた画像データ」と「新たに供給される画像データ」とに対して、最初のサブフィールドＳＦ１における表示データＯＳＤに対する補正量の重みが最も重くなるように、前記画像データを補正していることは明らかである。
　したがって、引用発明１の「最後のサブフィールドＳＦ２の開始に合わせて、データ記憶部１２ａに書き込まれた画像データと、前記差分信号ＤＩＦに基づいて演算により求めたオーバードライブ値と画像データに対応する目標値との差として、第１記憶部に記憶されている差分データとから、オーバードライブ値を復元して表示データＯＤＤを出力し、最初のサブフィールドＳＦ１の開始に合わせて、新たに供給される画像データを、前記差分信号ＤＩＦに基づいて演算により求めた表示データＯＳＤとして出力し、表示データＯＳＤに対応する印加電圧ＶＳと画像データに対応する目標印加電圧との差が、表示データＯＤＤに対応する印加電圧ＶＳと画像データに対応する目標印加電圧との差より大きくなるように、表示データＯＳＤ、ＯＤＤを出力し」と本願補正発明の「同一の画面表示期間内における最初でない単位期間に供給される前記画像信号と、前記最初の単位期間に供給される画像信号とに対して、前記最初の単位期間における補正量の重みが最も重くなるように、重み付けして前記補正量を算出し、該重み付けして算出された補正量を用いて前記画像信号を補正し」とは、「同一の画面表示期間内における最初でない単位期間に供給される前記画像信号と、前記最初の単位期間に供給される画像信号とに対して、前記最初の単位期間における補正量の重みが最も重くなるように、前記画像信号を補正し」という点で共通する。
　
　引用発明１の「サブフィールドの走査毎に」、「極性が反転するように、前記画素Ｐに印加電圧ＶＳを供給する」は、それぞれ本願補正発明の「単位期間毎に」、「基準電圧に対して極性が反転するように前記画素部の夫々を反転駆動させる」に相当する。
　したがって、引用発明１の「駆動部は、サブフィールドの走査毎に極性が反転するように、前記画素Ｐに印加電圧ＶＳを供給する」と本願補正発明の「駆動部は、前記複数の画素部により構成される表示面が走査線に沿った分割線によって分割されてなる２つの部分面のうち第１の部分面を構成する前記画素部と、前記２つの部分面のうち第２の部分面を構成する前記画素部とに、交互に、且つ、前記第１及び第２の部分面の各々において隣り合う前記走査線に対して順に、水平走査を行うと共に、該水平走査毎、及び前記画面表示期間毎又は前記単位期間毎に基準電圧に対して極性が反転するように前記画素部の夫々を反転駆動させる」とは、「駆動部は、前記単位期間毎に基準電圧に対して極性が反転するように前記画素部の夫々を反転駆動させる」という点で共通する。
　
　引用発明１の対象である「液晶パネル２０に画像を表示するための表示制御装置」は、本願補正発明の対象である「電気光学装置用駆動回路」に相当する。
　
　したがって、本願補正発明と引用発明１の両者は、以下の一致点で一致し、以下の相違点で相違する。
　
＜一致点＞
「複数の画素部が電気信号に応答可能な電気光学物質を含んで構成された電気光学装置を駆動するために用いられる電気光学装置用駆動回路であって、
　前記画素部の夫々に、一画面に対応する画像信号を、該一画面を表示する画面表示期間が分割されてなる単位期間毎に供給し、前記画素部の夫々を前記画面表示期間内に複数回駆動する駆動部と、
　同一の画面表示期間内における複数の前記単位期間のうち最初の単位期間に供給される前記画像信号を、前記最初の単位期間の直前の前記画面表示期間内に供給される前記画像信号に対する変化量を用いて補正する補正手段と
　を備え、
　前記補正手段は、前記同一の画面表示期間内における最初でない単位期間に供給される前記画像信号と、前記最初の単位期間に供給される画像信号とに対して、前記最初の単位期間における補正量の重みが最も重くなるように、前記画像信号を補正し、
　前記駆動部は、前記単位期間毎に基準電圧に対して極性が反転するように前記画素部の夫々を反転駆動させる
　電気光学装置用駆動回路。」
　
＜相違点１＞
　画像信号を補正する補正手段に関して、本願補正発明では、最初の単位期間に供給される画像信号を、前記最初の単位期間の直前の画面表示期間内に供給される前記画像信号に対する変化量と、電気光学物質の前記画像信号に対する応答速度とを用いて算出した補正量により補正しているのに対して、引用発明１では、表示データＯＳＤを差分信号ＤＩＦに基づいて演算により求めている点。
　
＜相違点２＞
　最初の単位期間における補正量の重みが最も重くなるように、画像信号を補正する補正手段に関して、本願補正発明では、最初の単位期間における補正量の重みが最も重くなるように、重み付けして補正量を算出し、該重み付けして算出された補正量を用いて画像信号を補正しているのに対して、引用発明１では、表示データＯＳＤを差分信号ＤＩＦに基づいて演算により求め、表示データＯＤＤを、データ記憶部１２ａに書き込まれた画像データと、前記差分信号ＤＩＦに基づいて演算により求めたオーバードライブ値と画像データに対応する目標値との差として、第１記憶部に記憶されている差分データとから、オーバードライブ値を復元して求めている点。
　
＜相違点３＞
　駆動部は、本願補正発明では、複数の画素部により構成される表示面が走査線に沿った分割線によって分割されてなる２つの部分面のうち第１の部分面を構成する前記画素部と、前記２つの部分面のうち第２の部分面を構成する前記画素部とに、交互に、且つ、前記第１及び第２の部分面の各々において隣り合う前記走査線に対して順に、水平走査を行うと共に、該水平走査毎、及び前記画面表示期間毎又は前記単位期間毎に基準電圧に対して極性が反転するように前記画素部の夫々を反転駆動させるのに対して、引用発明１では、そのような駆動をしていない点。
　
４　当審の判断
（１）相違点１，２
　１フィールドの間の信号レベルの差信号に応答速度に応じた重み付けをして、入力画像信号に重み付けられた差信号を加算し、加算した画像信号により液晶表示部の液晶分子の応答速度を改善する駆動を行うことは、原査定の拒絶の理由で引用された特開平４−２８８５８９号公報の段落【００１５】−【００２０】，図１−２に示されるように、当該技術分野において周知技術である。
　よって、引用発明１に前記周知技術を適用して、表示データＯＳＤを差分信号ＤＩＦに基づいて演算により求め、表示データＯＤＤを、データ記憶部１２ａに書き込まれた画像データと、前記差分信号ＤＩＦに基づいて演算により求めたオーバードライブ値と画像データに対応する目標値との差として、第１記憶部に記憶されている差分データとから、オーバードライブ値を復元して求め、かつ最初のサブフィールドＳＦ１に出力する表示データＯＳＤに対する補正量の重みを最も重くする構成に代えて、表示データＯＳＤ、ＯＤＤのいずれも、１フィールドの間の信号レベルの差信号に応答速度に応じて重み付けをして、重み付けられた差信号を加算して求め、かつ最初のサブフィールドＳＦ１に出力する表示データＯＳＤに対する補正量の重みを最も重くする構成にすること、つまり画像信号を、直前の画像表示期間内に供給される画像信号に対する変化量と、電気光学物質の画像信号に対する応答速度とを用いて算出した補正量であり、かつ最初の単位期間における補正量の重みが最も重くなるように、重み付けして算出した補正量を用いて画像信号を補正する構成にすることは、当業者が容易に想到し得ることである。
　
　したがって、相違点１，２に係る本願補正発明の発明特定事項は、引用発明１及び周知技術に基づいて当業者が容易に想到し得るものである。
　
（２）相違点３
　上記相違点３について検討する。
　上述のように、引用発明２は、画面が走査線に沿った分割線で分割されてなる２つの領域のうち、走査線Ｇ１〜Ｇｍに対応する領域のドットと、走査線Ｇｍ＋１〜Ｇ２ｍに対応する領域のドットとに、交互に、且つ、前記各領域の各々において隣り合う走査線に対して順に、水平走査を行うと共に、１水平期間毎、及び連続したフィールドの間で極性が反転するように駆動する液晶装置の駆動回路部であり、上記駆動を行うことにより、ディスクリネーションがほとんど発生せず、クロストークを抑制し、画面の場所による表示の不均一を回避して、画質向上を図るものである（上記記載事項７）。
　引用発明１及び２は、いずれも液晶パネルの駆動回路であり、画質向上を図ることは、当該技術分野における当然の課題であるから、前記課題を解決するために、引用発明２を引用発明１に適用して、引用発明１の駆動部に、複数の画素部により構成される表示面が走査線に沿った分割線によって分割されてなる２つの部分面のうち第１の部分面を構成する前記画素部と、前記２つの部分面のうち第２の部分面を構成する前記画素部とに、交互に、且つ、前記第１及び第２の部分面の各々において隣り合う前記走査線に対して順に、水平走査を行うと共に、該水平走査毎、及び前記画面表示期間毎又は前記単位期間毎に基準電圧に対して極性が反転するように前記画素部の夫々を反転駆動させることは、当業者が容易に想到し得るものである。
　
　したがって、相違点３に係る本願補正発明の発明特定事項は、引用発明１及び２に基づいて当業者が容易に想到し得るものである。
　
　そして、本願補正発明によって奏される効果は、引用刊行物１及び２の記載及び周知技術から当業者が予測し得る程度のものに過ぎない。
　
　したがって、本願補正発明は、引用発明１及び２及び周知技術に基づいて当業者が容易に発明をすることができたものであるから、特許法第２９条第２項の規定により、特許出願の際独立して特許を受けることができない。
　
５　まとめ
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するので、特許法第１５９条第１項で読み替えて準用する特許法第５３条第１項の規定により却下されるべきものである。
　
第３　本願発明
　本件補正は上記のとおり却下されたので、本願の請求項１に係る発明（以下、「本願発明」という。）は、平成２０年１月２３日付けの手続補正により補正された特許請求の範囲、明細書及び図面の記載からみて、その請求項１に記載されたとおりのものと認める。
　
第４　引用刊行物に記載された発明
　引用刊行物１に記載された発明は、前記「第２」の「２　引用刊行物に記載された発明」に記載したとおりである。
　
第５　対比
　本願発明と引用発明１とを対比すると、両者は、以下の一致点で一致し、以下の相違点で相違する。
　
＜一致点＞
「複数の画素部が電気信号に応答可能な電気光学物質を含んで構成された電気光学装置を駆動するために用いられる電気光学装置用駆動回路であって、
　前記画素部の夫々に、一画面に対応する画像信号を、該一画面を表示する画面表示期間が分割されてなる単位期間毎に供給し、前記画素部の夫々を前記画面表示期間内に複数回駆動する駆動部と、
　同一の画面表示期間内における複数の前記単位期間のうち最初の単位期間に供給される前記画像信号を、前記最初の単位期間の直前の前記画面表示期間内に供給される前記画像信号に対する変化量を用いて補正する補正手段と
　を備え、
　前記補正手段は、前記同一の画面表示期間内における最初でない単位期間に供給される前記画像信号と、前記最初の単位期間に供給される画像信号とに対して、前記最初の単位期間における補正量の重みが最も重くなるように、前記画像信号を補正する
　電気光学装置用駆動回路。」
　
＜相違点４＞
　画像信号を補正する補正手段に関して、本願発明では、最初の単位期間に供給される画像信号を、前記最初の単位期間の直前の画面表示期間内に供給される前記画像信号に対する変化量と、電気光学物質の前記画像信号に対する応答速度とを用いて算出した補正量により補正しているのに対して、引用発明１では、表示データＯＳＤを差分信号ＤＩＦに基づいて演算により求めている点。
　
＜相違点５＞
　最初の単位期間における補正量の重みが最も重くなるように、画像信号を補正する補正手段に関して、本願発明では、最初の単位期間における補正量の重みが最も重くなるように、重み付けして補正量を算出し、該重み付けして算出された補正量を用いて画像信号を補正しているのに対して、引用発明１では、表示データＯＳＤを差分信号ＤＩＦに基づいて演算により求め、表示データＯＤＤを、データ記憶部１２ａに書き込まれた画像データと、前記差分信号ＤＩＦに基づいて演算により求めたオーバードライブ値と画像データに対応する目標値との差として、第１記憶部に記憶されている差分データとから、オーバードライブ値を復元して求めている点。
　
第６　判断
　上記相違点４，５について併せて検討する。
　相違点４，５は相違点１，２と同一であるから、前記「第２」の「４　当審の判断」の項において検討したとおり、上記相違点４，５に係る本願発明の発明特定事項は、当業者が引用発明１及び周知技術に基づいて容易に想到し得ることである。
　
　そして、本願発明によって奏される効果は、引用刊行物１の記載及び周知技術から当業者が予測し得る程度のものに過ぎない。
　
　したがって、本願発明は、引用発明１及び周知技術に基づいて当業者が容易に発明をすることができたものである。
　
第７　むすび
　以上のとおり、本願発明は、引用発明１及び周知技術に基づいて当業者が容易に発明をすることができたものであるから、特許法第２９条第２項の規定により特許を受けることができない。
　したがって、他の請求項に係る発明について審理するまでもなく、本件出願は拒絶すべきものである。
　
　よって、結論のとおり審決する。